【事件の表示】
　特願２０１４−２６６００５「清掃用具」拒絶査定不服審判事件〔平成２８年　７月１１日出願公開、特開２０１６−１２３５６６、請求項の数（２）〕について、次のとおり審決する。
【結　論】
　原査定を取り消す。
　本願の発明は、特許すべきものとする。
【理　由】
第１　経緯の概略
　本願は，平成２６年１２月２６日の出願であって，平成３０年４月２４日付けで拒絶の理由が通知され，平成３０年７月６日に意見書及び手続補正書が提出されたが，平成３０年１１月６日付けで拒絶査定がなされた。
　これに対し，平成３１年２月１３日に拒絶査定不服審判が請求されると同時に手続補正書が提出され，平成３１年３月１９日に前置報告がされた。
第２　本願発明
　本願の請求項１，２に係る発明（以下，それぞれ「本願発明１」，「本願発明２」という。）は，特許請求の範囲の請求項１，２に記載された事項により特定される発明であり，以下のとおりの発明である。
　　【請求項１】
　把手を備えるロッドに接続される清掃ヘッドを備える清掃用具において，
　前記清掃ヘッドは，前記ロッドに接続される板状の清掃ヘッド本体と，前記清掃ヘッド本体の外周縁部に軸支され，前記清掃ヘッド本体の上面の一部を覆う格納位置から回動可能な回動板とを備え，
　前記清掃ヘッド本体の上面には，第１の装着部が設けられ，
　前記回動板の前記格納位置での上面には，第２の装着部が設けられ，
　前記清掃ヘッド本体の底面に巻付けられた清掃シートの一端部を前記第１の装着部に着脱可能である一方，他端部を前記第２の装着部に着脱可能であり，
　前記回動板は，該回動板による清掃のために，前記格納位置から該回動板と前記清掃ヘッド本体のなす角度が９０〜１５０°となる最大回転位置まで付勢力によって回動可能であることを特徴とする清掃用具。
　　【請求項２】
　前記回動板と前記清掃ヘッド本体との間には，前記回動板を前記格納位置に保持する保持状態と，前記保持を解除する解除状態とを切替え可能なストッパが設けられている，請求項１に記載の清掃用具。
第３　原査定の概要
　原査定（平成３０年１１月６日付け拒絶査定）の概要は次のとおりである。すなわち，本願発明１，２は，下記引用文献１，２に記載された発明に基いて，その発明の属する技術の分野における通常の知識を有する者（以下「当業者」という。）が容易に発明をすることができたものであるから，特許法２９条２項の規定により特許を受けることができない。
　（引用文献）
　１　特許５２８４９４５号公報
　２　米国特許出願公開第２０１１／０１６７５８３号明細書
第４　原査定についての判断
　１　引用文献，引用発明等
　　（１）　引用文献１
　　　ア　引用文献１には，以下の事項が記載されている（下線は，当審にて付与した。以下同様。）。
　・「【請求項１】
　清掃面及び前記清掃面の反対にある反対側表面を備えた清掃部と，
　支持柄（４）と，
　前記反対側表面上に前記支持柄（４）を回動可能に支持する回動機構（５）と，を備え，
　前記清掃部の前記清掃面が，第１の清掃材料表面（３ａ）及び第２の清掃材料表面（３ｂ）を含み，前記第１の清掃材料表面（３ａ）及び前記第２の清掃材料表面（３ｂ）が被清掃面にそれぞれ接触するようになる清掃装置において，
　
前記清掃部は，支持板（１）と，前記支持板の１つの側部に回動可能に装着された少なくとも１つの側板（２）と，前記支持板に前記側板が当接する締結位置に前記側板があるときに前記側板の可動縁部を前記支持板に選択的に固定する締結手段であって，前記締結位置にある前記側板と前記支持板とに対して前記支持柄が自由に動くことができるように，前記支持柄から離れた位置に設けられる締結手段とを備え，
　前記第１の清掃材料表面（３ａ）が前記支持板の底部表面に配設され，前記第２の清掃材料表面（３ｂ）が前記側板（２）の側部表面に配設され，
　
前記側板が前記締結位置にある状態で，前記第１の清掃材料表面（３ａ）及び前記第２の清掃材料表面（３ｂ）のうちのいずれか一方が前記被清掃面に接触するときに，他方の清掃材料表面が前記被清掃面に対して，９０度から１８０度までの角度を有し，
　前記第１の清掃材料表面（３ａ）の表面積は，前記第２の清掃材料表面（３ｂ）の表面積より大きい，ことを特徴とする，清掃装置。
【請求項２】
　前記締結手段は，前記側板（２）の前記可動縁部に設けられる位置決め要素（８）と，前記支持板（１）に設けられ，前記位置決め要素（８）と結合する位置協働手段（８’）とを備え，
前記側板（２）及び前記支持板（１）は，前記位置決め要素（８）と前記位置協働手段（８’）とを結合したときに，２７０度より大きな角度（β）を成し，
　・「【０００１】
　本発明は，清掃装置に監視，より具体的には，複数の清掃面を備えた清掃装置に関する。」
　・「【００１２】
　本発明の目的は，
ユーザーが異なる清掃能力を容易に切り替えることができるように簡単な構造及び異なる清掃能力を有する清掃装置を提供する
　・「【００２８】
　清掃作業が行われる時，第１の清掃材料表面３ａ及び第２の清掃材料表面３ｂは，被清掃面とそれぞれ接触するようになる。図２Ａ及び２Ｂから分かるように，
第１の清掃材料表面３ａ及び第２の清掃材料表面３ｂは，２７０度より大きい角度βを成すように設計されている。すなわち，第１の清掃材料表面３ａが被清掃面と接触するようになる時，第２の清掃材料表面３ｂが被清掃面に対して９０度より大きく且つ１８０度未満の角度を有し（図２Ａを参照），第２の清掃材料表面３ｂが被清掃面と接触するようになる時，第１の清掃材料表面３ａは被清掃面に対してして９０度より大きく１８０度未満の角度を有する（図２Ｂを参照）。それ故に，操作者は第１の清掃材料表面３ａ及び第２の清掃材料表面３ｂが被清掃面とそれぞれ接触するように清掃作業中に支持柄４を回転させることができる。
　・「【００３０】
　第２の実施形態の構造は，第１の実施形態の構造と実質的に同一である。それらの区別は，主として第１の実施形態の清掃部が支持板１から構成されているのに対して，第２の実施形態の
清掃部が支持板及び支持板１に回動可能に装着された少なくとも１つの側板２から構成されている
【００３１】
　図３を参照すると，
清掃装置は清掃部と，支持柄４と，回動機構５とを有する。
この支持柄４は，清掃部に対して自由に回転するように反対側表面上に取り付けられた回動機構５により反対側表面上に回動可能に支持される。
　・「【００３３】
　
側板２の表面積は，支持板１の表面積より小さいので，側板２から被清掃面へ加えられる圧力の強さは，支持板１から加えられる圧力の強さよりも大きい。
【００３４】
　清掃部の清掃面は，第１の清掃材料表面３ａ及び第２の清掃材料表面３ｂを含む。本実施形態では，
第１の清掃材料表面３ａ及び第２の清掃材料表面３ｂは，一体構造体，すなわちモップ布９の上に配設される。モップ布９の一端は，支持板１の上に固定される，及びモップ布９の他端は側板２の上に固定されることによって，支持板１及び側板２がそこに包まれるようになっている。
【００３５】
　図５を参照すると，モップ布９の平面図である。このモップ布９は，矩形の形状をしている。
モップ布９を支持板１及び側板２に簡単に取り付けるために，複数のポケット３ａがモップ布９に縫合されてよい。加えて，モップ布９の角部を，支持板１及び側板２の形状に合致するように合わすことによって，モップ布９が支持板１及び側板２にしっかりと固着されるようになる。
　・「【００３８】
　図３で分かるように，
支持板１は側板２に隣接した側部上に傾斜面６を有する。傾斜面６の下部には回動軸が装備されてる，側板２は回動軸を介して傾斜面の下部を中心自由に回転できる。側板２が回転されて傾斜面６と接触するようになると，その遠位側の縁，つまり支持板１に対して自由に回転できる可動縁部が，傾斜面６に当接することによって，側板２及び支持板１が２７０度より大きい角度βを成すようになる。
【００３９】
　清掃装置が前記構造を備えているので，
ユーザーは通常のフロアを清掃する際により大きな接触面積及びより少ない清掃圧力を有する支持板１を活用できる。そしてユーザーは，頑固な汚れがある特別なフロアを清掃する際により少ない接触面積及びより大きな清掃圧力を有する側板２を活用できるので，ユーザーによって加えられる力が効果的にフロアへ伝達され，これによって頑固な汚れが除去されるようになっている。
　・「【００４１】
　図６及び７に示すように，
ユーザーはまずモップ布９を支持板１及び側板２で覆う，そして次いで側板２を反時計方向に回動させる。側板２が，その遠位側の縁が傾斜面６の最上部にちょうど当接する位置まで回転されると，位置決め歯群８が支持板１の協働歯群８’内へスナップ嵌めされるように力が側板２に加えられる。こうして，モップ布９が，歯群８，８’の２つの列の間にしっかりと保持される。清掃装置の使用中に，ユーザーは通常のフロアを清掃する際に支持板１を活用することができる，そして頑固な汚れのあるフロアもしくは狭いフロア空間を清掃しなければならない場合には，ユーザーは支持柄４を回転して，支持板１を上向きに振り回して及び側板２を被清掃面と接触させることができることによって，被清掃面を清掃するために支持板１は側板２と取り替えられるようになっている。
　　　イ　上記の記載及び図面の記載からすると，引用文献１には，次の発明（以下「引用発明」という。）が記載されているといえる。
　（引用発明）
　「支持柄４を回動機構５を介して支持する清掃部を備える清掃装置において，
　前記清掃部は，前記支持柄４を回動機構５を介して支持する支持板１と，前記支持板１の片側に回動軸を介して回動可能に装着され，前記支持板１の傾斜面６に当接する位置に締結される側板２とを備え，
　第１の清掃材料表面３ａ及び第２の清掃材料表面３ｂが配設され，ポケット３ａが縫合されているモップ布９の角部を，支持板１及び側板２の形状に合致するように合わすことによって，モップ布９を支持板１及び側板２に固着し，第１の清掃材料表面３ａは，支持板１の底部表面を覆い，第２の清掃材料表面３ｂは，側板２の底部表面を覆うように構成されており，
　第１の清掃材料表面３ａ及び第２の清掃材料表面３ｂは，前記側板２が締結された状態で，２７０度より大きい角度βを成すように設計され，前記側板２が前記当接する位置にある状態で，第２の清掃材料表面３ｂが被清掃面と接触する時，第１の清掃材料表面３ａが被清掃面に対してして９０度より大きく１８０度未満の角度を有する，清掃装置。」
　　（２）　引用文献２
　　　ア　引用文献２には，以下の事項が記載されている（括弧内は当審による訳である。）。
　・「[0042] With reference to FIG. 1 , an exemplary cleaning tool 20 is illustrated. In the illustrated exemplary embodiment, cleaning tool 20 is a hand-operable floor cleaning device including an elongated handle 24, a hand grip 28 coupled to a first end of handle 24, and a cleaning head 32 coupled to a second end of handle 24 via a universal joint 36. …A wide variety of cleaning implements 40 (see e.g., FIG. 3 ) may be secured to cleaning head 32 to collect dirt, debris, or other unwanted elements present on a surface to be cleaned. For example, cleaning implements 40 may include a wide variety of cleaning wipes, sheets, or cloths such as, for example, dry disposable sheets, wet and dry microfiber cloths, pre-moistened disposable cleaning sheets, etc. 」（図１を参照すると，例示的な清掃工具20が示されている。図示の例示的な実施形態においては，清掃工具20は，細長いハンドル24，ハンドル24の第１の端部に結合されたハンドグリップ28，ユニバーサルジョイント36を介してハンドル24の第２の端部に連結された清掃ヘッド32を備えた，手動操作式の床清掃装置である。…多種多様な清掃用具40(例えば，図３参照)が，清掃される表面上に存在する汚れ，デブリ，または他の望ましくない要素を収集するために清掃ヘッド32に固定されてもよい。例えば，清掃用具40は，例えば，乾燥使い捨てシート，湿潤及び乾燥マイクロファイバー布，予め湿潤された使い捨て清掃用シート等，多種多様な清掃用拭き材，シート，又は布を含むことができる。）
　・「[0044] With continued reference to FIG. 1 and additional reference to FIG. 2 , cleaning head 32 includes a central, main panel 44 and a pair of side panels 48 pivotally coupled to opposing side edges 52 of main panel 44. In the illustrated exemplary embodiment, cleaning head 32 includes two pivotal side panels 48.…In the illustrated exemplary embodiment, side panels 48 are pivotally coupled to main panel 44 via living hinges 56. 」（図１を参照し且つ図２を更に参照すると，清掃ヘッド32は，中央のメインパネル44と，メインパネル44の両側縁52に回動可能に連結された一対のサイドパネル48を含む。…図示の例示的な実施形態では，サイドパネル48は，リビングヒンジ56を介してメインパネル44に回動可能に連結される。）
　・「[0046] With particular reference to FIG. 2 , cleaning head 32 includes a plurality of connectors 60 for removably coupling, a cleaning implement 40 to cleaning head 32.」（特に図２を参照すると，清掃ヘッド32は，清掃用具40を清掃ヘッド32に取り外し可能に結合するための，複数のコネクタ60を有する。）
　・「[0047] Referring now to FIGS. 1-3 , cleaning head 32 includes a pair of biasing members 72 for biasing side panels 48 downward to their flat positions, as illustrated in FIGS. 1-3 . 」（図１−３を参照すると，清掃ヘッド32は，図１−３に示されているように，
サイドパネル48を平坦な位置に下方向に付勢する一対の付勢部材72を含む。
　・「[0048] With continued reference to FIGS. 1-3 , cleaning head 32 includes ramp members 92 that can contact a vertical or non-horizontal surface 96 (see FIG. 6 ) to facilitate upward pivoting of side panels 48 relative to main panel 44.」（図１−３を続けて参照すると，清掃ヘッド32は，垂直又は水平ではない表面96（図６参照）に当接し，メインパネル44に対するサイドパネル48の上方への回動を容易にすることができる，ランプ部材92を備えている。）
　・「[0055] As indicated previously, side panels 48 have the capability of pivoting upward upon engagement with a vertical or other non-horizontal surface 96. This feature allows a user to utilize cleaning head 32 in its first configuration to efficiently clean a horizontal floor surface, and also allows cleaning head 32 to clean portions of vertical surface 96 and access difficult to clean areas such as corners between the floor surface and vertical surface 96. 」（先に示したように，サイドパネル48は，垂直又は他の水平ではない表面96と係合する際に上方に回動する能力を有している。この特徴は，ユーザが，水平な床面を効率的に清掃するために，清掃ヘッド32をその第１の構成で利用することを可能にし，また，清掃ヘッド32が，垂直面96の部分を清掃することや，床面と垂直面96の間のコーナーのような清掃しにくい区域にアクセスすることを可能にする。）
　・「[0056] With reference to FIG. 6 , cleaning head 32 is illustrated just prior to contact with vertical surface 96. Prior to contact with vertical surface 96, cleaning head 32 is positioned in its first configuration or fully flat position. Referring now to FIG. 7 , cleaning head 32 is pushed into vertical surface 96 such that one of the ramp members 92 contacts vertical surface 96 and rides upward along vertical surface 96. This upward movement along vertical surface 96 causes side panel 48 to pivot upward. During this upward pivoting movement of side panel 48, the associated biasing member 72 is being deflected or compressed to exert a downward force on side panel 48. With reference to FIG. 8 , cleaning head 32 is pushed fully against vertical surface 96 until main panel 44 abuts or nearly abuts vertical surface 96. In this position, ramp surface 100 of ramp member 92 rides further upward along vertical surface 96 until bottom surface 64 of side panel 48 is parallel with vertical surface 96 and side edge 52 of main panel 44 engages or nearly engages vertical surface 96. Also, in this position, biasing member 72 is further deflected or compressed to continue exertion of a downward force on side panel 48. As illustrated in FIG. 8 , the side panel 48 abutting vertical surface 96 is located at a position between its fiat position and its fully upward pivoted position. Since side panel 48 is not secured in its fully upward pivoted position when used in this manner, side panel 48 is capable of being biased downward toward its flat position under the bias of biasing member 72 when cleaning head 32 is moved away from vertical surface 96. 」（図６を参照すると，清掃ヘッド32が垂直面96と接触する直前の様子が示されている。垂直面96と接触させる前に，清掃ヘッド32は，その第１の構成又は完全に平坦な位置に配置されている。ここで図７を参照すると，清掃ヘッド32が垂直面96に押し付けられ，ランプ部材92の一つが垂直面96に接触し，垂直面96に沿って上向きに進む。垂直面96に沿った上方への移動は，サイドパネル48が上方に回動させる。
サイドパネル48のこの上方への回動運動の間に，関連付けられた付勢部材72は，サイドパネル48上に下向きの力を加えるように，偏向又は圧縮される。
付勢部材72は，サイドパネル48に下向きの力を加え続けるためにさらに偏向又は圧縮される。
サイドパネル48は，このように用いられる場合，その上方に完全に回動した位置で固定されていないため，清掃ヘッド32が垂直面96から離れる方向に移動されるときに，サイドパネル48は付勢部材72の付勢下でその平坦な位置に向けて下方に付勢されることができる。
　　　イ　上記の記載及び図面の記載からすると，引用文献２には，次の事項が記載されているといえる。
　「ハンドグリップ28を備えるハンドル24に接続される清掃ヘッド32を備える清掃工具20において，
　前記清掃ヘッド32は，前記ハンドル24に接続されるメインパネル44と，前記メインパネル44にリビングヒンジ56を介して連結され，上方に完全に回動した位置から回動可能なサイドパネル48とを備え，
　前記清掃ヘッド32の下面には，コネクタ60が設けられ，
　前記清掃ヘッド32の下面に清掃用具40が取り外し可能に結合可能であり，
　前記サイドパネル48は，該サイドパネル48による清掃のために，前記上方に完全に回動した位置から完全に平坦な位置まで付勢部材72によって回動可能である，清掃工具20。」
　　（３）　引用文献３
　前置報告にて示された引用文献３には，以下の事項が記載されている。
　・「【００２１】
　図２は，実施例２に係るダスターモップヘッドを示す側面図である。図２において，本実施例のダスターモップヘッド１２は，略長方形の平面形状を有する２つのヘッド部１２ａ，１２ｂを，その短辺方向に間隔を開けて併置して構成している。２つのヘッド部１２ａ，１２ｂは連結部１６により連結され，その連結部１６に掃除用モップの把手３を取り付けている。また，
前側のヘッド部１２ａの上面の先端には略長方形板状の遮蔽板１４が，ダスターモップヘッド１２の下面との成す角度が９０〜１５０度の範囲のいずれかの角度となるように取り付けられている。
【００２２】
　本実施例においては，吸着シート１１は，２つのヘッド部１２ａ，１２ｂの下面と遮蔽板１４の前側の面を同時に覆うように装着される。これにより，吸着シート１１の交換により，遮蔽板１４に付着した塵埃も同時に除去できる。」
　・「【００２３】
　図３は，実施例３に係るダスターモップヘッドを示す側面図である。図３において，本実施例のダスターモップヘッド２２は，実施例１と同様な略長方形の平面形状を有しているが，下面は平坦である。また，
ダスターモップヘッド２２の上方を通過する塵埃を減少させるため実施例１と同様な形状の遮蔽板２４を設けている。遮蔽板２４は，ダスターモップヘッド２２の上面に，遮蔽板２４の一方の長辺２４ｂ付近を軸として，ダスターモップヘッド２２の下面との成す角度が４５〜９０度程度の範囲で回転可能に取り付けられている。
【００２４】
　
本実施例においては，通常は遮蔽板２４の角度は遮蔽板２４に働く重力またはバネなどにより最小の角度で保持され，清掃中に遮蔽板２４の先端の長辺２４ａが壁や家具などの障害物に突き当たったときに，遮蔽板２４が回転し，その先端２４ａが後側に移動することで床の壁際や家具の近辺まで掃除することが可能となる。
　・「【００２５】
　図４は，実施例４に係るダスターモップヘッドを示す側面図である。図４において，本実施例のダスターモップヘッド３２は，実施例１と同様な略長方形の平面形状を有しているが，下面は平坦である。また，ダスターモップヘッド３２の上方を通過する塵埃を減少させるため実施例１と同様な形状の遮蔽板３４を設けている。
遮蔽板３４は，ダスターモップヘッド３２の上面に，遮蔽板３４の一方の長辺３４ｂが固定され，ダスターモップヘッド３２の下面との成す角度が３０〜６０度程度となるように取り付けられている。
【００２６】
　
本実施例においては，遮蔽板３４は変形可能な材料で構成されている。例えば，スポンジ板やゴム板などである。清掃中に遮蔽板３４の先端の長辺３４ａが壁や家具などの障害物に突き当たったときに，遮蔽板３４が変形し，その当接部分が後側に移動することで床の壁際や家具の近辺まで掃除することが可能となる。
　２　本願発明１について
　　（１）　対比
　　　ア　本願発明１と引用発明とを，その有する機能に照らして対比してみるに，引用発明の「支持柄４」が把手を備えることは明らかであるから，本願発明１の「ロッド」に相当し，引用発明の「清掃部」が「支持柄４を回動機構５を介して支持する」態様は「支持柄４」と「清掃部」とを接続すると態様といえるから，引用発明の「清掃部」，「清掃装置」は，それぞれ，本願発明１の「清掃ヘッド」，「清掃用具」に相当する。
　　　イ　引用発明の「清掃部」は「支持板１」と「側板２」を備えるところ，「支持板１」が「前記支持柄４を回動機構５を介して支持する」態様は「支持柄４」と「支持板１」とを接続すると態様といえるから，引用発明の「支持板１」は，本願発明１の「板状の清掃ヘッド本体」に相当する。
　また，「側板２」は，「前記支持板１の片側に回動軸を介して回動可能に装着され，前記支持板１の傾斜面６に当接する位置に締結される」ものであるから，本願発明１の「回動板」と同様に，清掃ヘッド本体の外周縁部に軸支されるものである。
　そして，「第１の清掃材料表面３ａ及び第２の清掃材料表面３ｂは，前記側板２が締結された状態で，２７０度より大きい角度βを成す」から，「側板２」は「支持板１」の上面の一部を覆うといえ，「側板２」は，本願発明１の「回動板」と，「前記清掃ヘッド本体の上面の一部を覆う」位置から「回動可能な回動板」である点で共通する。
　　　ウ　引用発明の「モップ布９」は，本願発明１の「清掃シート」に相当する。
　また，引用発明は「ポケット３ａが縫合されているモップ布９の角部を，支持板１及び側板２の形状に合致するように合わすことによって，モップ布９を支持板１及び側板２に固着」するものであるから，「支持板１」及び「側板２」における「モップ布９の角部」に対応する部位は，それぞれ，本願発明１の「第１の装着部」，「第２の装着部」に相当する。
　そして，引用発明の「モップ布９」は「第１の清掃材料表面３ａ及び第２の清掃材料表面３ｂが配設され」，「第１の清掃材料表面３ａは，支持板１の底部表面を覆い，第２の清掃材料表面３ｂは，側板２の底部表面を覆うように構成されて（いる）」こと，「モップ布９」が着脱可能であることは構造上明らかであることからすると，引用発明は，本願発明１と同様に，「前記清掃ヘッド本体の底面に巻付けられた清掃シートの一端部を前記第１の装着部に着脱可能である一方，他端部を前記第２の装着部に着脱可能であ（る）」といえる。
　　　エ　そうすると，本願発明１と引用発明とは，次の点で一致し，相違する。
　（一致点）
　「把手を備えるロッドに接続される清掃ヘッドを備える清掃用具において，
　前記清掃ヘッドは，前記ロッドに接続される板状の清掃ヘッド本体と，前記清掃ヘッド本体の外周縁部に軸支され，前記清掃ヘッド本体の上面の一部を覆う位置から回動可能な回動板とを備え，
　前記清掃ヘッド本体の上面には，第１の装着部が設けられ，
　前記回動板の前記格納位置での上面には，第２の装着部が設けられ，
　前記清掃ヘッド本体の底面に巻付けられた清掃シートの一端部を前記第１の装着部に着脱可能である一方，他端部を前記第２の装着部に着脱可能である，清掃用具。」
　（相違点）
　本願発明１は，「前記清掃ヘッド本体の上面の一部を覆う格納位置から回動可能な」「回動板」が，「該回動板による清掃のために，前記格納位置から該回動板と前記清掃ヘッド本体のなす角度が９０〜１５０°となる最大回転位置まで付勢力によって回動可能である」のに対し，引用発明は，「前記支持板１の傾斜面６に当接する位置に締結される」「側板２」が，「第１の清掃材料表面３ａ及び第２の清掃材料表面３ｂは，２７０度より大きい角度βを成すように設計され，前記側板２が前記当接する位置にある状態で，第２の清掃材料表面３ｂが被清掃面と接触する時，第１の清掃材料表面３ａが被清掃面に対してして９０度より大きく１８０度未満の角度を有する」ものである点。
　　（２）　判断
　　　ア　引用文献１によれば，引用発明は，「ユーザーが異なる清掃能力を容易に切り替えることができるように簡単な構造及び異なる清掃能力を有する清掃装置を提供すること」を目的とし（【００１２】），「第１の清掃材料表面３ａ及び第２の清掃材料表面３ｂは，２７０度より大きい角度βを成すように設計され，前記側板２が前記当接する位置にある状態で，第２の清掃材料表面３ｂが被清掃面と接触する時，第１の清掃材料表面３ａが被清掃面に対してして９０度より大きく１８０度未満の角度を有する」ことにより，「操作者は第１の清掃材料表面３ａ及び第２の清掃材料表面３ｂが被清掃面とそれぞれ接触するように清掃作業中に支持柄４を回転させることができる。」（【００２８】）もので，「清掃装置が前記構造を備えているので，ユーザーは通常のフロアを清掃する際により大きな接触面積及びより少ない清掃圧力を有する支持板１を活用できる。そしてユーザーは，頑固な汚れがある特別なフロアを清掃する際により少ない接触面積及びより大きな清掃圧力を有する側板２を活用できるので，ユーザーによって加えられる力が効果的にフロアへ伝達され，これによって頑固な汚れが除去されるようになっている。」（【００３９】）
　そして，「ユーザーはまずモップ布９を支持板１及び側板２で覆う，そして次いで側板２を反時計方向に回動させる。側板２が，その遠位側の縁が傾斜面６の最上部にちょうど当接する位置まで回転されると，位置決め歯群８が支持板１の協働歯群８’内へスナップ嵌めされるように力が側板２に加えられる。こうして，モップ布９が，歯群８，８’の２つの列の間にしっかりと保持される。清掃装置の使用中に，ユーザーは通常のフロアを清掃する際に支持板１を活用することができる，そして頑固な汚れのあるフロアもしくは狭いフロア空間を清掃しなければならない場合には，ユーザーは支持柄４を回転して，支持板１を上向きに振り回して及び側板２を被清掃面と接触させることができることによって，被清掃面を清掃するために支持板１は側板２と取り替えられるようになっている。」（【００４１】）といった，使用形態が想定されている。
　このように，引用発明は，「側板２」が「支持板１の傾斜面６に当接する位置に締結される」状態で清掃することを前提としているものであって，「
ユーザーは，頑固な汚れがある特別なフロアを清掃する際により少ない接触面積及びより大きな清掃圧力を有する側板２を活用できるので，ユーザーによって加えられる力が効果的にフロアへ伝達され，これによって頑固な汚れが除去される
　そして，引用文献２には，ハンドグリップ28を備えるハンドル24に接続される清掃ヘッド32を備えるクリーニング工具20において，サイドパネル48（本願発明１の「回動板」に相当。）を，該サイドパネル48による清掃のために，上方に完全に回動した位置から完全に平坦な位置まで付勢部材72によって回動可能とする点が記載されている（前記１（２）イ）。このような構造によって，本願発明１のように床面に近い壁面等の清掃も可能となっているが（引用文献２[0055]，[0056]），サイドパネル48とメインパネル44のなす角度が９０〜１５０°となる最大回転位置まで付勢力によって回動可能としたものではない。
　また，引用文献３をみても，ダスターモップヘッド２２の上面に，ダスターモップヘッド２２の上方を通過する塵埃を減少させるための遮蔽板２４を，ダスターモップヘッド２２の下面との成す角度が４５〜９０度程度の範囲で回転可能に取り付けること，遮蔽板２４の角度は遮蔽板２４に働く重力またはバネなどにより最小の角度で保持され，清掃中に遮蔽板２４の先端の長辺２４ａが壁や家具などの障害物に突き当たったときに，遮蔽板２４が回転し，その先端２４ａが後側に移動することで床の壁際や家具の近辺まで掃除することが可能となることは記載されているものの（前記１（３）），この「遮蔽板２４」は，本願発明１の「回動板」のように床面に近い壁面等の清掃を企図したものではない上，引用文献３には，「遮蔽板２４」に関し，遮蔽板２４による清掃のために，格納位置から該遮蔽板２４とダスターモップヘッド２２のなす角度が９０〜１５０°となる最大回転位置まで付勢力によって回動可能とする点は記載されていない。
　そうすると，引用発明において，「側板２」を，側板２による清掃のために，当接する位置から該側板２と前記支持板１のなす角度が９０〜１５０°となる最大回転位置まで付勢力によって回動可能とする動機付けは認められない
　　　イ　そして，本願発明１は，前記相違点に係る構成を備えることにより，「回動板を格納位置に回動させた状態では，清掃ヘッド本体の底面によって清掃シートを床面に押しつけつつ滑らせて床面を清掃することができる。また，この状態から回動板を回動させれば，清掃ヘッド本体の底面によって清掃シートを床面に押しつけつつ滑らせて床面を清掃できるだけでなく，回動板によって清掃シートを前記壁面等に押しつけつつ滑らせて前記壁面等を清掃することもできる。」（【００１１】），「ここに，回動板４は，回動板４と清掃ヘッド本体３のなす角度が好ましくは９０〜１５０°，より好ましくは９０〜１２０°となる位置まで回動可能に構成することができ，このような角度まで回動可能に構成することで，回動板４を垂直な壁面に押し当てたときに回動板４をスムーズに立ち上がらせることができる。」（【００２７】）といった顕著な効果を奏するものである。
　よって，引用発明及び引用例２，３に記載された事項により，前記相違点に係る本願発明１の構成とすることは，当業者が容易に想到することができたものとは認められない。
　　　ウ　以上のとおりであるから，本願発明１は，引用発明及び引用文献２，３に記載された発明に基いて，当業者が容易に発明をすることができたものであるとは認められない。
　３　本願発明２について
　本願発明１を特定するための事項をすべて含む本願発明２は，その余の事項を検討するまでもなく，本願発明１と同様の理由により，引用発明及び引用文献２，３に記載された事項に基いて当業者が容易に発明をすることができたものであるとは認められない。
　４　以上のとおりであるから，原査定を維持することはできない。
第６　むすび
　以上のとおり，原査定の理由によって，本願を拒絶することはできない。
　他に本願を拒絶すべき理由を発見しない。
　よって，結論のとおり審決する。